(57)【要約】      （修正有）【課題】床面への空気吐出量を増加させ、また、インテリアにマッチする空気吸込み口の見えない、意匠性に優れたシンプルでフラットな化粧パネルを備える床置型空気調和機を提供する。【解決手段】空気吸込み口６を前面以外に設置し、室内熱交換器３を多段曲げにして大きくして性能を上げて、化粧パネル５を空気吸込み口の有しない構成にし、フラットにして吐出される空気が吸込み口６に入るショートサーキットを防止し、冷房時には、上下風向ルーバー１１a,１１bを床面に対して３０度以上、上向きにする。このとき、吐出口下部の化粧枠４aを前方に出して、上下風向ルーバー１１a,１１bを上向きにしたときでも、上下風向ルーバー１１a,１１bと吐出口下部の化粧枠４aの隙間から吐出風が漏れない様にし、風量を確保する。【選択図】図１
2009186037.tif 000002
【特許請求の範囲】
【請求項１】
前面より化粧パネル，フィルタ，化粧枠，吐出口に配置される上下風向ルーバー，送風用貫流ファン，貫流ファンに連接された駆動用モータ，貫流ファンを囲むように配設された熱交換器，熱交換器用受け皿，駆動モータ等を制御する電気品類と一体成型されたキャビネットを有する床置型空気調和機において、
前記化粧パネルを空気吸込み口の有しない構成にし、且つ、前記吐出口下部の前記化粧枠を前方に出して、前記上下風向ルーバーを上向きにしたときでも、前記上下風向ルーバーと前記吐出口下部の前記化粧枠の隙間から吐出風が漏れない様にしたことを特徴する床置型空気調和機。
【発明の詳細な説明】
【技術分野】
【０００１】
本発明は、冷房の風量を確保し、冷房時及び暖房時の快適性を向上させた床置型空気調和機に関する。
【背景技術】
【０００２】
従来の床置型空気調和機は化粧パネル前面より空気を吸込み、熱交換された空気を上方及び下方に吹き出す通風形態であった。
【０００３】
【特許文献１】特開２００５−１０６４１７号公報
【特許文献２】実開昭５５−１６２０２４号公報
【特許文献３】実開昭５８−９８５２１号公報
【発明の開示】
【発明が解決しようとする課題】
【０００４】
従来の床置型空気調和機の室内機には、上下に貫流ファンを設置して、空調を行っていた。この技術によれば、暖房時の快適性において、上下に貫流ファンを設置しているため、床面への空気吐出量を増加させることに限界があった。また、インテリアにマッチする空気吸込み口の見えない、意匠性に優れたシンプルでフラットな化粧パネルを備える床置型空気調和機を提供することが困難であった。
【０００５】
本発明の目的は、快適性向上、及び前面の化粧パネルの意匠性を向上させることにある。
【課題を解決するための手段】
【０００６】
上記目的を達成するために、本発明では、空気吸込み口を前面以外に設置し、室内熱交換器を多段曲げにして大きくして性能を上げて、化粧パネルを空気吸込み口の有しない構成にし、フラットにして吐出される空気が吸込み口に入るショートサーキットを防止し、冷房時には、上下風向ルーバーを床面に対して３０度以上、上向きにする。このとき、吐出口下部の化粧枠を前方に出して、上下風向ルーバーを上向きにしたときでも、上下風向ルーバーと吐出口下部の化粧枠の隙間から吐出風が漏れない様にし、風量を確保する。
【発明の効果】
【０００７】
室内吐出口下部の化粧枠を前方に出して、上下風向ルーバーを上向きにしたときでも、上下風向ルーバーと吐出口下部の化粧枠の隙間から吐出風が漏れない様にすることにより、冷房時の性能向上，快適性の向上，フラットな化粧パネルが採用できるなどの効果が有る。
【発明を実施するための最良の形態】
【０００８】
以下、本発明の実施例を図１〜図４により説明する。
【０００９】
図１は本発明に係る床置型空気調和機の全体構造を示す側面断面図である。
【００１０】
キャビネットの上面に配された空気吸込みグリル６，前面に設けられた取り外し可能な化粧パネル５，化粧パネル５後方で且つ熱交換器の前方に配設された前面側フィルタ９ａ，上面と背面の空気吸込みグリルに対応するように設けられており、且つ、一体に成形されたフィルタ９ｂ，化粧パネル５を取り付ける化粧枠４，送風用貫流ファン２，空気吸込みグリル６を上面および背面に配設され、このおのおのの空気吸込みグリル６に対応して配設された熱交換器３，熱交換器用受け皿１０と背面側の熱交換器用受け皿と一体成型されたキャビネット１により構成される。
【００１１】
上記の構成において、図４の従来の床置型空気調和機は、上側と下側の２カ所から空気を吐出していたが、本発明では、送風用貫流ファン２を中心よりも下方に吐出口を１カ所配置する。これによって、暖房時の快適性において、上下風向ルーバー１１ａを床面に向けて、且つ、遠くまで、暖気が届くようになる。また、冷房時には、上下風向ルーバー１１ａの角度を床面に対して３０度以上、上向きにして、冷気を上側に行く様にする。上下風向ルーバー１１ａの角度が３０度未満であると、冷気が直接、人に当たる不具合が発生し易くなる。
【００１２】
また、冷房時には、冷気が吐出口から直接、吸込み口に入ることを防止するため、化粧パネル５をフラットにして、吐出される空気が吸込み口に入るショートサーキットを防止する構造が出来る。また、近年インテリアにマッチする空気吸込み口の見えない、意匠性に優れたシンプルでフラットな化粧パネル５の意匠を提供できる。
【００１３】
また、上記の構成にすることにより多段曲げ熱交換器の設置が可能になる。
【００１４】
この構成において、冷房時に、上下風向ルーバー１１ａの角度を床面に対して３０度以上、上向きにして、冷気を上側に行く様にした時に、上下風向ルーバー１１ａと化粧枠４の吐出口下部４ａとの隙間から吐出風が漏れる。吐出風が漏れると、上側に行く風量が減少し、結果として、性能が低下し、快適性も悪くなる。
【００１５】
そのため、本発明では、上下風向ルーバー１１ａの角度を床面に対して３０度以上、上向きにした場合でも、上下風向ルーバー１１ａと化粧枠４の吐出口下部４ａとの隙間から吐出風が漏れない様に、化粧枠４の吐出口下部４ａを正面側に突き出すようにして、上下風向ルーバー１１ａの下側まで、化粧枠４の吐出口下部４ａが位置するように、正面側に突き出す構造とする。
【００１６】
以上より、冷房時に、上下風向ルーバー１１ａの角度を床面に対して３０度以上、上向きにして、冷気を上側に行く様にした時に、上下風向ルーバー１１ａと化粧枠４の吐出口下部４ａとの隙間から吐出風が漏れない様に、化粧枠４の吐出口下部４ａを正面側に突き出すようにして、上下風向ルーバー１１ａの下側まで、化粧枠４の吐出口下部４ａが位置するように、正面側に突き出す構造とすることにより、冷房時の性能の向上，快適性向上，フラットな化粧パネルの採用できるなどの効果が有る。
【図面の簡単な説明】
【００１７】
【図１】本発明の実施例の全体構造を示す側面断面図。
【図２】本発明の実施例の正面斜視図。
【図３】従来技術における空気調和機の一実施例の側面断面図。
【図４】従来技術における空気調和機の構造図。
【符号の説明】
【００１８】
１  キャビネット
２  送風用貫流ファン
３，１３  熱交換器
４  化粧枠
４ａ  化粧枠の吐出口下部
５，１２  化粧パネル
６  上面空気吸込みグリル
６ａ，６ｂ  上面空気吸込みグリル用可動パネル
７  可動パネル用モータ
８  背面上部空気吸込みグリル
９ａ  前面側フィルタ
９ｂ  上面側フィルタ
１０  熱交換器用受け皿
１１ａ，１１ｂ  上下風向ルーバー
１４ａ，１４ｂ  貫流ファン
【図１】
2009186037.tif 000003
【図２】
2009186037.tif 000004
【図３】
2009186037.tif 000005
【図４】
2009186037.tif 000006